(57)【要約】【課題】登録された車両の駐車を許可する駐車場において、車両の登録の際に定期券等の有体物を不要とする。【解決手段】受付部１１１が、利用者から操作部１４を介して定期利用を希望する旨の操作を受付けたとき、取得部１１２は、接続部１３を介して撮影装置に画像データを要求する。取得部１１２は、撮影装置から画像データを取得する。認識部１１３は、取得した画像データに対して光学文字認識処理を行い、車両の車番を認識する。受付部１１１は、認識部１１３が認識した車番が記憶部１２に登録されていない場合、利用者からパスワードの入力を操作部１４により受付ける。パスワードが入力されると、認証部１１４は、記憶部１２の記憶部１２を検索して、そのパスワードが正しいか否か判断する。パスワードが正しいと判断した場合、登録部１１５は、認識部１１３が認識した車番を、そのパスワードに対応付けて記憶部１２に登録する。【選択図】図７
2020087246.tif 000002
【特許請求の範囲】
【請求項１】
登録された車両の駐車を許可する駐車場管理システムであって、予め記憶している情報が利用者により入力された場合に前記利用者の車両を登録する駐車場管理システム。
【請求項２】
前記情報は駐車場における１以上の車室に対応付けて記憶され、該情報の入力に応じて登録される前記利用者の車両は、該車室への駐車が許可される、請求項１に記載の駐車場管理システム。
【請求項３】
前記情報は該情報の入力に応じて登録可能な車両の数に対応付けて記憶される、請求項１に記載の駐車場管理システム。
【請求項４】
前記情報が入力されたときに、該情報の入力に応じて登録可能な数の車両が既に登録されている場合、登録された車両のいずれかを抹消して、前記利用者の車両を登録する、請求項１から３のいずれか１項に記載の駐車場管理システム。
【請求項５】
前記登録された車両のいずれかを選択する入力を待機し、選択された車両を抹消して、前記利用者の車両を登録する、請求項４に記載の駐車場管理システム。
【請求項６】
前記登録された車両の全てが駐車している場合、前記利用者の車両の登録をしない、請求項４又は５に記載の駐車場管理システム。
【請求項７】
１つの契約に複数の情報が対応付けられる場合、前記登録可能な数は前記契約に対して定められる、請求項４から６のいずれか１項に記載の駐車場管理システム。
【発明の詳細な説明】
【技術分野】
【０００１】
本発明は、一定の期間にわたる駐車場の利用に応じた決済の技術に関する。
【背景技術】
【０００２】
駐車場の決済に関する技術が開発されている。
特許文献１には、利用者の端末装置から、クレジットカード番号を含む登録用データを受信して、その登録用データに基づいてデータセンターに対して与信用データを送信し、受信した与信結果データがネガティブではない場合に、クレジットカード番号の一部を含むことによって形成したパスワードを備えた予約用データを利用者の端末装置へ送信する駐車場予約登録システムが記載されている。
特許文献２には、クレジットカードのカードデータを読み取り、そのカードデータ及び予約データを蓄積した駐車場管理データベースを用いて予約の確認を行って、確認できたら駐車開始時刻を駐車券データとして記録した駐車券を出力する駐車場予約遂行システム備えた駐車場予約遂行システムが記載されている。
【先行技術文献】
【特許文献】
【０００３】
【特許文献１】特開２００３−２７１７５５号公報
【特許文献２】特開２００３−２７２００４号公報
【発明の概要】
【発明が解決しようとする課題】
【０００４】
ところで、マンション等の集合住宅の住人や、工事・建設の現場に出入りする施工業者等は、一定の期間にわたって同じ駐車場を何度も利用するので、その駐車場の決済を利用の度に行うと手続が煩雑になり負担になることが多い。そこで、駐車場の管理者は、例えば１か月や半年等、一定の期間にわたる利用（「定期利用」という）を許可する「定期券」を販売することがある。定期券を購入すれば、その定期券に定められた期間にわたって、利用者は利用の都度に支払いを求められることなく、駐車場を自由に利用することができる。
【０００５】
一方、車両を識別するための識別情報を読み取って駐車場の管理に使う技術がある。例えば、ナンバープレートに記載された車両番号（「車番」という）を光学的に読み取って認識し、認識した車番が登録されているか否かに応じて、その車両による駐車場の利用の是非を判断する技術がある。この技術を上述した定期券に応用すると、利用者は、登録済みの車番を読み取らせるだけで駐車場の定期利用をすることができる。
【０００６】
しかし、例えば、自動車検査証の交付を受けるために車両の検査及び整備を整備事業者に依頼する場合、駐車場の利用者は、一時的に代車を利用することがある。この場合、代車の車番が登録されていないため、利用者は駐車場を利用する度に料金を支払わなければならなくなる。
【０００７】
また、車番の読み取りは、精度に揺らぎがあるため必ず成功するとは限らない。例えば、車番の読み取りに失敗した場合に、定期券を提示することで定期利用を許可する仕組みを駐車場の管理システムに設けることはできる。しかしこの構成だと利用者は、有体物である定期券等を携帯していないと車番の読み取りに失敗した場合に料金を支払わなければならなくなる。
【０００８】
本発明の目的の一つは、登録された車両の駐車を許可する駐車場において、車両の登録の際に定期券等の有体物を不要とすることである。
【課題を解決するための手段】
【０００９】
上述した課題を解決するため、本発明は、登録された車両の駐車を許可する駐車場管理システムであって、予め記憶している情報が利用者により入力された場合に前記利用者の車両を登録する駐車場管理システム、を第１の態様として提供する。
【００１０】
第１の態様の駐車場管理システムによれば、登録された車両の駐車を許可する駐車場において、車両の登録の際に定期券等の有体物を不要とすることができる。
【００１１】
第１の態様の駐車場管理システムにおいて、前記情報は駐車場における１以上の車室に対応付けて記憶され、該情報の入力に応じて登録される前記利用者の車両は、該車室への駐車が許可される、という構成が第２の態様として採用されてもよい。
【００１２】
第２の態様の駐車場管理システムによれば、駐車を許可する登録を車室ごとに行うことができる。
【００１３】
第１の態様の駐車場管理システムにおいて、前記情報は該情報の入力に応じて登録可能な車両の数に対応付けて記憶される、という構成が第３の態様として採用されてもよい。
【００１４】
第３の態様の駐車場管理システムによれば、１つの情報に対して１以上の車両を登録することができる。
【００１５】
第１から第３のいずれか１の態様の駐車場管理システムにおいて、前記情報が入力されたときに、該情報の入力に応じて登録可能な数の車両が既に登録されている場合、登録された車両のいずれかを抹消して、前記利用者の車両を登録する、という構成が第４の態様として採用されてもよい。
【００１６】
第４の態様の駐車場管理システムによれば、情報の入力に応じて登録可能な車両の数を維持しつつ、新たな車両を登録することができる。
【００１７】
第４の態様の駐車場管理システムにおいて、前記登録された車両のいずれかを選択する入力を待機し、選択された車両を抹消して、前記利用者の車両を登録する、という構成が第５の態様として採用されてもよい。
【００１８】
第５の態様の駐車場管理システムによれば、利用者は抹消する車両を選択することができる。
【００１９】
第４又は第５の態様の駐車場管理システムにおいて、前記登録された車両の全てが駐車している場合、前記利用者の車両の登録をしない、という構成が第６の態様として採用されてもよい。
【００２０】
第６の態様の駐車場管理システムによれば、登録された数を超えた車両が同時に駐車することがない。
【００２１】
第４から第６のいずれか１の態様の駐車場管理システムにおいて、１つの契約に複数の情報が対応付けられる場合、前記登録可能な数は前記契約に対して定められる、という構成が第７の態様として採用されてもよい。
【００２２】
第７の態様の駐車場管理システムによれば、契約ごとに登録可能な車両の数を定めることができる。
【図面の簡単な説明】
【００２３】
【図１】本発明の一実施形態に係る駐車場管理システム９が適用される駐車場Ｐの概略図。
【図２】駐車場管理システム９の構成の例を示す図。
【図３】記憶部１２が記憶する車両登録ＤＢ１２１の例を示す図。
【図４】操作部１４及び表示部１５の例を示す図。
【図５】駐車場Ｐの管理者が定期利用契約の際に行う手続を説明するための図。
【図６】定期利用契約の料金の例を示す図。
【図７】管理装置１の機能的構成を示す図。
【図８】管理装置１の動作の流れを示すフローチャート。
【図９】認識した車番の確認を利用者に促す文字列の例を示す図。
【図１０】パスワードの入力を促す文字列の例を示す図。
【図１１】車番が登録された車両登録ＤＢ１２１の例を示す図。
【図１２】車室ごとに管理装置１ａ及び撮影装置２ａが備えられた駐車場Ｐａの例を示す図。
【図１３】パスワードに車室が対応付けられた車両登録ＤＢ１２１ａの例を示す図。
【図１４】定期利用に供する車室を説明するための図。
【図１５】都度利用の受け入れを拒否する表示の例を示す図。
【図１６】車番の車両の利用状態を記憶する車両登録ＤＢ１２１ｂの例を示す図。
【図１７】パスワードごとに１以上の登録枠を有する車両登録ＤＢ１２１ｃの例を示す図。
【図１８】登録可能な数の車両が既に登録されているときの車番表１２１２の例を示す図。
【図１９】登録された車両のいずれかを選択する入力を促す表示の例を示す図。
【図２０】１つの登録枠に対応する車番が上書きされた車番表１２１２の例を示す図。
【図２１】全ての登録枠に対応する利用状態が利用中である車番表１２１２の例を示す図。
【図２２】パスワードに残りの変更回数が対応付けられた車両登録ＤＢ１２１ｄの例を示す図。
【図２３】契約ごとに登録可能な数の登録枠が定められた車両登録ＤＢ１２１ｅの例を示す図。
【発明を実施するための形態】
【００２４】
＜実施形態＞
＜管理装置の構成＞
図１は、本発明の一実施形態に係る駐車場管理システム９が適用される駐車場Ｐの概略図である。図２は、駐車場管理システム９の構成の例を示す図である。駐車場管理システム９は、管理装置１、撮影装置２、入口ゲート機３、出口ゲート機４、及びサーバ装置８を有する。管理装置１は、図１に示す通り、駐車場Ｐの入口の手前に一時停止した車両Ｃから見て右側に配置される。管理装置１は、図２に示す通り、制御部１１、記憶部１２、操作部１４、表示部１５、及び接続部１３を有する。
【００２５】
制御部１１は、管理装置１の各部の動作を制御する手段である。制御部１１は、ＣＰＵ（Central Processing Unit）等の演算処理装置や、ＲＯＭ（Read Only Memory）、ＲＡＭ（Random Access Memory）等の記憶装置を備え、これらの記憶装置や記憶部１２に記憶されたプログラムを実行する。
【００２６】
接続部１３は、管理装置１にとっての外部装置、すなわち、撮影装置２、入口ゲート機３、出口ゲート機４、及びサーバ装置８のそれぞれと、管理装置１の制御部１１とを接続し、これらの外部装置と制御部１１とのやり取りを中継する。これにより制御部１１は、これらの外部装置をそれぞれ制御する。
【００２７】
記憶部１２は、ソリッドステートドライブ、ハードディスクドライブ等の記憶手段であり、制御部１１のＣＰＵに読み込まれる各種のプログラム、データ等を記憶する。
【００２８】
また、記憶部１２は、車両登録ＤＢ１２１を記憶する。図３は、記憶部１２が記憶する車両登録ＤＢ１２１の例を示す図である。車両登録ＤＢ１２１は、駐車場Ｐの定期利用を許可する車両を登録するためのデータベースである。
【００２９】
図３に示す車両登録ＤＢ１２１は、パスワードと、そのパスワードの入力に応じて登録される車両の識別情報である車番と、を対応付けて記憶する。このパスワードとは、管理装置１が予め記憶している情報である。図３に示す車両登録ＤＢ１２１は、パスワードとして「１１１１」「２２２２」「３３３３」「４４４４」「５５５５」の５つが記憶されており、これらのいずれに対しても未だ車番が登録されていない。
【００３０】
図２に示す操作部１４は、各種の指示をするための操作ボタン、キーボード、タッチパネル等の操作子を備えており、利用者による操作を受付けてその操作内容に応じた信号を制御部１１に送る。
【００３１】
また、操作部１４は、投入された紙幣や硬貨を選別してそれらの計数を行う選別機１４１を備えており、計数された紙幣及び硬貨の枚数の情報を制御部１１に供給する。制御部１１は、操作部１４の選別機１４１から供給された情報から利用者に支払われた料金の額を特定する。
【００３２】
図２に示す表示部１５は、液晶ディスプレイ等の表示画面を有しており、制御部１１の制御の下、画像を表示する。表示画面の上には、操作部１４の透明のタッチパネルが重ねて配置されてもよい。
【００３３】
図４は、操作部１４及び表示部１５の例を示す図である。図４に示す操作部１４は、「０」から「９」までの数字と、「＊」及び「＃」の記号と、を入力するための、いわゆるテンキーと呼ばれるキーを有する。また操作部１４は、管理装置１に対して承諾する意思を示すための「ＯＫ」と書かれたキー、及び、指示を取り消す意思を示すための「Ｃａｎｃｅｌ」と書かれたキーを有する。
【００３４】
図４に示す表示部１５は、操作部１４の左側に配置された液晶ディスプレイであり、「利用種別を選択して下さい」というメッセージの下に、選択肢を示す文字列が表示されている。この例で、上述した選択肢は「１．定期利用」及び「２．都度利用」の２つである。
【００３５】
この場合、利用者が、例えば操作部１４のテンキーで「１」を押した後に「ＯＫ」を押すと、管理装置１は、利用者が「定期利用」を選択したと解釈する。一方、利用者が「２」を押した後に「ＯＫ」を押すと、管理装置１は、利用者が「都度利用」を選択したと解釈する。なお、「都度利用」とは、駐車場を利用する度に料金を支払う利用形態を意味する。
【００３６】
撮影装置２は、駐車場内を撮影して生成した画像を示す画像データを制御部１１に供給する装置であり、例えば、ＣＣＤイメージセンサやＣＭＯＳイメージセンサ等の撮影素子を備えたカメラ等である。
【００３７】
撮影装置２は、駐車場Ｐの入口において、例えば、図１に示す入口ゲート機３の手前に一時停止した車両Ｃのナンバープレートを撮影する。このナンバープレートには車両Ｃの車番が記述されている。撮影装置２は、撮影したナンバープレートの画像を示す画像データを管理装置１の制御部１１に接続部１３を介して供給する。制御部１１は、供給された画像データに対して画像認識処理を行い、車両Ｃの車番を認識する。
【００３８】
図１及び図２に示す入口ゲート機３は、駆動可能な入口バー３１を有する。入口ゲート機３は、管理装置１が駐車場Ｐへの車両Ｃの入場を許可する場合に、入口バー３１を上昇させて車両Ｃが駐車場Ｐの入口を通過できるようにする。一方、管理装置１が駐車場Ｐへの車両Ｃの入場を許可しない場合に、入口ゲート機３は、入口バー３１を下降させて車両Ｃが駐車場Ｐの入口を通過できないようにする。
【００３９】
図１及び図２に示す出口ゲート機４は、駆動可能な出口バー４１を有する。出口ゲート機４は、管理装置１が駐車場Ｐからの車両Ｃの出場を許可する場合に、出口バー４１を上昇させて車両Ｃが駐車場Ｐの出口を通過できるようにする。一方、管理装置１が駐車場Ｐからの車両Ｃの出場を許可しない場合に、出口ゲート機４は、出口バー４１を下降させて車両Ｃが駐車場Ｐの出口を通過できないようにする。
【００４０】
図１及び図２に示すサーバ装置８は、制御部、記憶部、操作部、表示部を備えたコンピュータ等であり、駐車場Ｐの利用者の情報を記憶し、管理する情報処理装置である。サーバ装置８は、管理装置１と通信し、記憶部１２の記憶内容を更新するための指示をする。例えば、利用者の情報が登録され、新たなパスワードが発行された場合、サーバ装置８は、発行されたパスワードを管理装置１に通知して、車両登録ＤＢ１２１を更新するための指示をする。管理装置１の制御部１１は、この指示に応じて車両登録ＤＢ１２１を更新する。この結果、車両登録ＤＢ１２１には、通知されたパスワードが記憶されるとともに、そのパスワードの入力に応じて車両を登録する枠が生成される。
【００４１】
図５は、駐車場Ｐの管理者が定期利用契約の際に行う手続を説明するための図である。駐車場Ｐの管理者は、定期利用契約を結ぶ利用者の情報（利用者情報）をサーバ装置８に登録し、利用者から定期利用に応じた料金を受け取ると（定期料金の精算）、この定期利用契約に応じた数のパスワードを発行するとともに、駐車場Ｐに車室を確保する。
【００４２】
図６は、定期利用契約の料金の例を示す図である。定期利用契約の料金（定期利用料金）は、例えば、期間と、パスワードの発行数と、に応じて決められる。図６に示す定期利用料金は、パスワード発行数が「１」であるとき１か月当たり３０００円、パスワード発行数が「５以下」であるとき１か月当たり５０００円、パスワード発行数が「１０以下」であるとき１か月当たり７５００円と、それぞれ定められている。
【００４３】
＜管理装置の機能的構成＞
図７は、管理装置１の機能的構成を示す図である。
制御部１１は、上述のプログラムを実行することにより、受付部１１１、取得部１１２、認識部１１３、認証部１１４、登録部１１５、及び通知部１１６として機能する。
【００４４】
駐車場Ｐの利用者は、車両Ｃを運転して駐車場Ｐの入口に一時停止させ、管理装置１の操作部１４を操作する。受付部１１１は、利用者による操作部１４への操作を受付ける。
【００４５】
受付部１１１が、利用者から定期利用を希望する旨の操作を受付けたとき、取得部１１２は、接続部１３を介して撮影装置２に画像データを要求する。この要求を受けた撮影装置２は、車両Ｃのナンバープレートを撮影し、撮影した画像を示す画像データを生成して制御部１１に供給する。取得部１１２は、撮影装置２からこの画像データを取得する。
【００４６】
認識部１１３は、撮影装置２から取得した画像データに対して光学文字認識処理を行い、車両Ｃの車番を認識する。認識部１１３は、認識した車番が記憶部１２の車両登録ＤＢ１２１に登録されているか否かを判断し、登録されていないと判断する場合に、受付部１１１にその旨を伝える。
【００４７】
受付部１１１は、認識部１１３が認識した車番が車両登録ＤＢ１２１に登録されていない場合、利用者からパスワードの入力を操作部１４により受付ける。パスワードが入力されると、認証部１１４は、記憶部１２の車両登録ＤＢ１２１を検索して、そのパスワードが車両登録ＤＢ１２１に記憶されているか、すなわち、そのパスワードが正しいか否か判断する。
【００４８】
パスワードが正しいと判断した場合、登録部１１５は、認識部１１３が認識した車番を、そのパスワードに対応付けて車両登録ＤＢ１２１に登録する。また、このとき、通知部１１６は、パスワードが正しく、車番が登録された旨を表示部１５により利用者に通知する。
【００４９】
＜管理装置の動作＞
図８は、管理装置１の動作の流れを示すフローチャートである。管理装置１の制御部１１は、例えば表示部１５に図４に示す文字列を表示させて、利用者から利用種別の入力を受付け（ステップＳ１０１）、受付けた利用種別が定期利用であるか否かを判断する（ステップＳ１０２）。
【００５０】
受付けた利用種別が定期利用ではないと判断する場合（ステップＳ１０２；ＮＯ）、制御部１１は、利用者に都度利用料金を請求し（ステップＳ１０９）、操作部１４の選別機１４１から供給された情報に基づいて、請求した料金の入金があるか否かを判断する（ステップＳ１１０）。請求した料金の入金があると判断した場合（ステップＳ１１０；ＹＥＳ）、制御部１１は、車両Ｃの入場を許可し（ステップＳ１０８）、処理を終了する。入場の許可は、例えば、制御部１１が接続部１３を介して入口ゲート機３に制御信号を送り、入口バー３１を上昇させることにより行われる。
【００５１】
請求した料金の入金がないと判断した場合（ステップＳ１１０；ＮＯ）、制御部１１は、車両Ｃの入場を拒否し（ステップＳ１１１）、処理を終了する。入場の拒否は、例えば、制御部１１が接続部１３を介して入口ゲート機３に制御信号を送り、入口バー３１を下降させることにより行われる。
【００５２】
受付けた利用種別が定期利用であると判断する場合（ステップＳ１０２；ＹＥＳ）、制御部１１は、撮影装置２から上述した画像データを取得して車両Ｃの車番を認識する（ステップＳ１０３）。
【００５３】
管理装置１は、車番を認識するに際して利用者に確認を促す。図９は、認識した車番の確認を利用者に促す文字列の例を示す図である。制御部１１は、車番として「１６５６」を認識すると、この車番の確認を利用者に促す文字列を生成して表示部１５に表示させる。この文字列とは、例えば図９に示す通り「あなたの車両番号は１６５６で合っていますか？」という文字列等である。図９に示す文字列を見て、車番が合っていると判断する場合、利用者は「１．合っています」という文字列に応じて「１」を入力する。一方、車番が違っていると判断する場合、利用者は、「２．違っています」という文字列に応じて「２」を入力する。ステップＳ１０３において、認識した車番が違っている旨の入力を利用者から受付けている場合、制御部１１は、撮影装置２に再度の撮影を指示して新たな画像データを取得し、取得した新たな画像データを用いて、改めて車番の認識を行う。
【００５４】
制御部１１は、車両Ｃの車番を認識すると記憶部１２の車両登録ＤＢ１２１を参照して、認識した車番が車両登録ＤＢ１２１に登録済みであるか否かを判断する（ステップＳ１０４）。
【００５５】
認識した車番が車両登録ＤＢ１２１に登録済みであると判断すると（ステップＳ１０４；ＹＥＳ）、制御部１１は、車両Ｃの入場を許可し（ステップＳ１０８）、処理を終了する。
【００５６】
一方、認識した車番が車両登録ＤＢ１２１に登録済みでないと判断すると（ステップＳ１０４；ＮＯ）、制御部１１は、表示部１５にパスワードの入力を促す文字列を表示させて、利用者からのパスワードの入力を受付ける（ステップＳ１０５）。
【００５７】
図１０は、パスワードの入力を促す文字列の例を示す図である。制御部１１は、ステップＳ１０５において、例えば、図１０に示す通り「１６５６は未登録です。パスワードを入力して下さい。」という、パスワードの入力を促す文字列を表示部１５に表示させる。
【００５８】
図１０に示す文字列を見た利用者は、操作部１４を操作して、定期利用に応じて発行されたパスワードを入力する。この入力の際に、一文字入力するごとに入力があったことを示す記号「＊」が図１０に示す枠内に表示される。この記号は入力された数字そのものを示していないため、表示部１５を見た他人にパスワードが知られる可能性は低い。
【００５９】
パスワードの入力を受付けると、制御部１１は、受付けたパスワードが正しいか否かを判断する（ステップＳ１０６）。この判断は、受付けたパスワードが記憶部１２の車両登録ＤＢ１２１に記述されているか否かを判断することによって行われる。
【００６０】
受付けたパスワードが正しくないと判断する場合（ステップＳ１０６；ＮＯ）、制御部１１は、車両Ｃの入場を拒否し（ステップＳ１１１）、処理を終了する。
【００６１】
一方、受付けたパスワードが正しいと判断する場合（ステップＳ１０６；ＹＥＳ）、制御部１１は、ステップＳ１０３で認識した車番を、ステップＳ１０５で受付けたパスワードに対応付けて車両登録ＤＢ１２１に登録する（ステップＳ１０７）。そして、制御部１１は、車番を登録したこの車両Ｃの入場を許可し（ステップＳ１０８）、処理を終了する。
【００６２】
すなわち、この駐車場管理システム９は、登録された車両の駐車を許可する駐車場管理システムであって、予め記憶している情報が利用者により入力された場合にその利用者の車両を登録する駐車場管理システムである。
【００６３】
図１１は、車番が登録された車両登録ＤＢ１２１の例を示す図である。ステップＳ１０３で車番「１６５６」を認識し、ステップＳ１０５でパスワード「１１１１」を受付けると、制御部１１は、車両登録ＤＢ１２１のうちパスワード「１１１１」に対応付けて車番「１６５６」を記憶する。これにより、図３に示す車両登録ＤＢ１２１は、図１１（ａ）に示す車両登録ＤＢ１２１に変化する。
【００６４】
同様に、図３に示す全てのパスワードが新たな車番が認識されたときにそれぞれ入力されると、車両登録ＤＢ１２１は、図１１（ｂ）に示す通り変化する。
【００６５】
また、車両登録ＤＢ１２１に登録されていない車番が認識され、過去に入力されたことのあるパスワードが再び入力されると、管理装置１は、車両登録ＤＢ１２１を変更する。例えば、新たな車番「９８６８」が認識されて、利用者がパスワード「１１１１」を入力すると、図１１（ｃ）に示す通り、パスワード「１１１１」に対応付けて既に記憶されている車番「１６５６」が、新たな車番「９８６８」によって上書きされる。
【００６６】
以上の通り、本発明に係る駐車場管理システム９は、パスワードが利用者により入力された場合に、利用者の車両を登録するので、車両の登録の際に定期券等の有体物が不要である。そして、登録された車両は利用者の特別な操作なしに、その駐車が許可される。
【００６７】
以上の実施形態で説明された構成、形状、大きさ及び配置関係については本発明が理解・実施できる程度に概略的に示したものにすぎない。したがって、本発明は、説明された実施形態に限定されるものではなく、特許請求の範囲に示される技術的思想の範囲を逸脱しない限り様々な形態に変更することができる。
【００６８】
＜変形例＞
以上が実施形態の説明であるが、この実施形態の内容は以下のように変形し得る。また、以下の変形例を組み合わせてもよい。
【００６９】
＜変形例１＞
上述した実施形態において、管理装置１は、表示部１５を備えていたが、備えなくてもよい。この場合、管理装置１は、接続部１３を介して、外部装置である表示装置に画像を表示させればよい。また、管理装置１は、例えば、音声案内等、表示以外の方法によって利用者に情報を提示してもよい。すなわち、上述した表示部１５や表示装置は、利用者に情報を提示する提示装置の例である。
【００７０】
＜変形例２＞
上述した実施形態において、駐車場管理システム９は、サーバ装置８を備えていたが、備えなくてもよく、例えば、上述したサーバ装置８の機能を管理装置１が実現してもよい。なお、サーバ装置８は、駐車場Ｐに隣接していなくてもよい。
【００７１】
＜変形例３＞
上述した実施形態において、車両を識別するための識別情報に、ナンバープレートに記載された車番が用いられたが、識別情報には他の情報が用いられてもよい。例えば、駐車場管理システム９は、車両を識別するための識別情報として、車両から発せられるビーコンを用いてもよい。この場合、車両には、電波ビーコンや光ビーコン等を発信する発信装置が設けられていればよい。
【００７２】
＜変形例４＞
上述した実施形態において、駐車場管理システム９は、予め記憶している情報として４桁の数字で構成されるパスワードを用いたが、パスワードの桁数は４桁に限られず、また、含まれる文字は数字に限られない。また、駐車場管理システム９は、予め記憶している情報として、パスワード以外の他の情報を用いてもよい。駐車場管理システム９は、予め記憶している情報として、例えば、バーコード等の画像による情報を用いてもよい。このバーコードは、一次元コードであってもよいし、二次元コードであってもよい。また、このバーコードは、携帯端末のディスプレイに表示されてもよいし、用紙等の媒体に印刷されてもよい。予め記憶している情報として画像による情報が用いられると、利用者は、この情報を暗証・記憶する必要がない。
【００７３】
上述した「予め記憶している情報」は、例えば、サーバ装置８から利用者の携帯端末に配信されてもよい。この場合、利用者は、予め記憶している情報が配信された携帯端末を使って、管理装置１の操作部１４を操作し、この情報を管理装置１に入力してもよい。例えば、予め記憶している情報が二次元コードである場合、利用者は、配信されたこの二次元コードを携帯端末の液晶ディスプレイに表示させて管理装置１の操作部１４に翳すとよい。この場合、管理装置１の操作部１４は、液晶ディスプレイの表示を光学的に読み取る機構を有していればよい。
【００７４】
＜変形例５＞
上述した実施形態において、管理装置１の操作部１４は、利用者の指等により操作されていたが、利用者が操作する携帯電話機等の携帯端末から発信される電波を受付けて、利用者の操作を特定してもよい。この場合、操作部１４は、携帯端末が発信する電波を受波するアンテナを有していてもよい。
【００７５】
＜変形例６＞
上述した実施形態において、管理装置１は、駐車場Ｐに１台だけ備えられていたが、２台以上、備えられてもよい。また、撮影装置２は、駐車場Ｐに１台だけ備えられていたが、２台以上、備えられてもよい。管理装置１及び撮影装置２は、１つの車室につき、それぞれ１つずつ備えられてもよい。
【００７６】
図１２は、車室ごとに管理装置１ａ及び撮影装置２ａが備えられた駐車場Ｐａの例を示す図である。図１２に示す通り、車室番号「２」の車室に車両が駐車すると、この車室に対応付けて備えられた撮影装置２ａがこの車両のナンバープレートを撮影する。そして、この撮影装置２ａは、撮影した画像を示す画像データを、この車室に対応付けられた管理装置１ａに供給する。
【００７７】
この管理装置１ａは、取得した画像データを解析して車両の車番を認識し、認識した車番が未登録である場合に、パスワードの入力を促す文字列を表示部１５ａに表示する。管理装置１ａに対応する車室からはこの表示部１５ａが見えるため、この車室に駐車した車両を運転する利用者は、表示部１５ａの表示に気づき、管理装置１ａの操作部１４ａを操作して、パスワードを入力する。なお、この場合、複数の管理装置１ａは、車両登録ＤＢ１２１を共有していてもよい。
【００７８】
＜変形例７＞
上述した実施形態において、管理装置１は、パスワードに車室を対応付けていなかったが、対応付けてもよい。
【００７９】
図１３は、パスワードに車室が対応付けられた車両登録ＤＢ１２１ａの例を示す図である。図１３に示す車両登録ＤＢ１２１ａでは、パスワード「１１１１」には、車室番号「１」が、パスワード「２２２２」には、車室番号「２」が、それぞれ対応付けられている。
【００８０】
この場合、管理装置１は、車両登録ＤＢ１２１ａにおいて、入力されたパスワードに対応付けられた車番の車両が、そのパスワードに対応付けられた車室に駐車することを許可してもよい。この場合、車室番号「１」に駐車するときの正しいパスワードは「１１１１」のみであり、車室番号「２」に駐車するときの正しいパスワードは「２２２２」のみである。
【００８１】
また、上述した実施形態において、管理装置１は、１つのパスワードにつき１つの車番を登録していたが、複数の車番を登録してもよい。例えば、駐車場管理システム９は、予め記憶している情報を駐車場における１以上の車室に対応付けて記憶してもよい。この場合、この情報の入力に応じて登録される利用者の車両は、これらの車室のいずれかへの駐車が許可されればよい。
【００８２】
例えば、図１３に示す車両登録ＤＢ１２１ａでは、パスワード「３３３３」には、車室番号「３」、車室番号「４」、及び車室番号「５」が対応付けられている。この場合、車室番号「３」、車室番号「４」、及び車室番号「５」のいずれかに駐車するときの正しいパスワードは「３３３３」のみである。
【００８３】
＜変形例８＞
上述した変形例に示す通り、定期利用に供する車室は、指定した車室番号で識別される車室のみに固定されていてもよいが、固定されていなくてもよい。図１４は、定期利用に供する車室を説明するための図である。図１４においてハッチングが施された車室は、定期利用に供する車室である。
【００８４】
図１４（ａ）には、定期利用に供する車室が固定されている駐車場Ｐｂが示されている。図１４（ａ）に示す駐車場Ｐｂでは、車室番号「１」から車室番号「５」までの５つの車室が、定期利用に供する車室として固定されており、車室番号「６」から車室番号「９」までの４つの車室は、都度利用に供する車室として固定されている。
【００８５】
この場合、管理装置１は、例えば、車室ごとに設けられたセンサー等を用いて、車室番号「６」から車室番号「９」までの４つの車室を監視すればよい。そして管理装置１は、監視する全ての車室に車両が駐車したことが上述したセンサー等により検知されたときに、都度利用の受け入れを拒否すればよい。
【００８６】
図１５は、都度利用の受け入れを拒否する表示の例を示す図である。管理装置１が、監視している車室の全てに車両が駐車したことを検知して、都度利用の受け入れを拒否すると判断した場合、制御部１１は、表示部１５に図１５に示す文字列を表示させる。表示部１５は、図１５に示す通り、「都度利用は満車です。（４台利用中）」といった文字列を表示する。
【００８７】
一方、図１４（ｂ）には、定期利用に供する車室が固定されていない駐車場Ｐｃが示されている。図１４（ｂ）に示す駐車場Ｐｃでは、利用種別に定期利用を指定して入場した利用者は、車室番号「１」から車室番号「９」の全ての車室の中から、利用されていない車室を選んで自分の車両を駐車してよい。
【００８８】
この場合、管理装置１は、「車室の総数」から「定期利用に供する車室の数」を差し引いた数の車室を、都度利用に供する車室として確保すればよい。図１４（ｂ）に示す例では、車室の総数は９であるから、例えば、定期利用に供する車室の数が５である場合、都度利用に供する車室の数は４である。
【００８９】
図１４（ｂ）に示す通り、定期利用の車両は、車室番号「３」及び車室番号「８」の２つの車室に駐車しており、都度利用の車両は、車室番号「１」、車室番号「５」、車室番号「７」の３つの車室に駐車している。
【００９０】
このとき、新たに都度利用の車両が、図１４（ｂ）に破線で示す通り、車室番号「４」に駐車すると、都度利用のための４つの車室の全てが利用中となる。駐車場管理システム９は、定期利用に供する車室として、利用中のものも含めて５つの車室を確保しなければならない。したがって、駐車場管理システム９は、車室番号「２」、車室番号「６」、車室番号「９」の３つの車室を、定期利用に供する車室として確保するため、都度利用を拒否する。この場合でも、制御部１１は、図１５に示す表示を表示部１５にさせればよい。
【００９１】
＜変形例９＞
上述した実施形態において、管理装置１は、パスワードに対応する車番で識別される車両が駐車場を利用中であるか否かの情報を、そのパスワードに対応付けていなかったが、対応付けてもよい。
【００９２】
図１６は、パスワードに対応する車番の車両の利用状態を記憶する車両登録ＤＢ１２１ｂの例を示す図である。図１６に示す車両登録ＤＢ１２１ｂは、「利用状態」のフィールドを有する。この「利用状態」のフィールドには、パスワードに対応付けられている車番で識別される車両が、駐車場Ｐを利用しているか否かを示す情報が記憶される。例えば、図１６に示す「パスワード」には車番「１６５６」が対応付けられており、この車番「１６５６」で識別される車両は、駐車場Ｐを利用中である。
【００９３】
管理装置１は、対応する「利用状態」が「利用中」となっているパスワードを、誤ったパスワードと判断してもよい。これにより、そのパスワードに対応付けられている車番の車両が現に駐車場Ｐを利用しているときには、そのパスワードの入力に応じた車両の登録が拒否される。
【００９４】
＜変形例１０＞
上述した変形例７において、管理装置１は、１つのパスワードに対して、複数の車室番号と、そのそれぞれに駐車する車番とを対応付けて登録していたが、１つのパスワードに対して、車室番号を対応付けずに、複数の車番を登録してもよい。
【００９５】
図１７は、パスワードごとに１以上の登録枠を有する車両登録ＤＢ１２１ｃの例を示す図である。この車両登録ＤＢ１２１ｃは、パスワードリスト１２１１と、車番表１２１２と、を有する。
【００９６】
パスワードリスト１２１１は、発行されたパスワードを列挙したリストである。車番表１２１２は、パスワードリスト１２１１に記載されたパスワードごとに設けられた表であり、対応するパスワードの入力に応じて登録可能な車両の数の「登録枠」が設けられている。この登録枠には、それぞれ車番を記憶する欄と、利用状態を記憶する欄と、が対応付けて設けられている。
【００９７】
すなわち、車両登録ＤＢ１２１ｃにおいて、予め記憶している情報の例であるパスワードは、このパスワードの入力に応じて登録可能な車両の数に対応付けて記憶されている。
【００９８】
例えば、図１７に示す車両登録ＤＢ１２１ｃは、パスワードリスト１２１１にパスワード「１１１１」、「２２２２」、「３３３３」が記述されている。そして、パスワード「１１１１」には、３台分の登録枠が設けられた車番表１２１２が対応付けて記憶されている。
【００９９】
この車番表１２１２は、登録枠の「１台目」に対応する車番が、車番「１６５６」であって、対応する「利用状態」が空欄であることを示している。つまり、図１７に示す車両登録ＤＢ１２１ｃによると、車番「１６５６」で識別される車両は、駐車場を利用していない。
【０１００】
一方、この車番表１２１２は、登録枠の「２台目」に対応する車番が、車番「４８１９」であって、対応する「利用状態」が「利用中」であることを示している。つまり、図１７に示す車両登録ＤＢ１２１ｃによると、車番「４８１９」で識別される車両は、駐車場を利用している。
【０１０１】
この構成によれば、１つのパスワードに対して複数台の車両を登録することが可能であるため、例えば、家族で共有する１つのパスワードに、家族それぞれの車両を登録することが可能である。
【０１０２】
＜変形例１１＞
上述した車両登録ＤＢ１２１ｃを記憶する管理装置１は、パスワードが入力されたときに、そのパスワードの入力に応じて登録可能な数の車両が既に登録されている場合、登録された車両のいずれかを抹消して、利用者の車両を登録してもよい。
【０１０３】
図１８は、パスワードの入力に応じて登録可能な数の車両が既に登録されているときの車番表１２１２の例を示す図である。図１８に示す車番表１２１２は、パスワードリスト１２１１に記述されたいずれか１つのパスワードに対応付けられており、登録枠は５台分である。図１８に示す通り、この車番表１２１２では５台分の全ての登録枠に車番が既に登録されている。したがって、新たな車番が認識され、これを登録するためにこのパスワードが入力された場合、５台分の車番のいずれかを抹消しなければ、新たな車番を登録することができない。
【０１０４】
管理装置１は、パスワードの入力を受付けると、これに対応する１以上の登録枠を確認し、その全てに車番が登録である場合に、いずれかを選択して抹消する。管理装置１は、例えば、登録済みの車番のいずれかをランダムに選択して抹消してもよい。また、管理装置１は、車番表１２１２に登録の日時を対応付けて記憶している場合、この日時に応じて抹消する車番を決めてもよい。例えば、管理装置１は、登録された日時が最も古い車番を抹消してもよい。なお、管理装置１は、車番表１２１２において、対応する「利用状態」が「利用中」となっている車番を、抹消の対象から外してもよい。
【０１０５】
＜変形例１２＞
上述した車両登録ＤＢ１２１ｃを記憶する管理装置１は、パスワードが入力されたときに、そのパスワードの入力に応じて登録可能な数の車両が既に登録されている場合、登録された車両のいずれかを選択する入力を待機してもよい。そして入力を受付けた管理装置１は、選択された車両を抹消して、新たに車番が認識された利用者の車両を登録してもよい。
【０１０６】
図１９は、登録された車両のいずれかを選択する入力を促す表示の例を示す図である。管理装置１は、利用者からパスワードの入力を受付けると、車両登録ＤＢ１２１ｃを参照して、そのパスワードに対応付けられている車番表１２１２を読み出す。
【０１０７】
図１８に示す車番表１２１２を読み出すと、管理装置１は、５台分の登録枠の全てに車番が登録されているため、表示部１５により、いずれかの車番を選択する入力を利用者に促す表示をする。これにより表示部１５には、図１９に示す通り「入力パスワードに対応する変更可能な車両番号は４つです。いずれかをお選び下さい。」という文字列が表示される。
【０１０８】
ここで、管理装置１は、５台分の登録枠のうち、利用状態が「利用中」である車番を抹消の対象から除外する。利用状態が「利用中」である車番で識別される車両は現に駐車場に入場しているから、抹消しても駐車場を利用し続けることとなり、利用状態の把握が困難になるからである。
【０１０９】
図２０は、１つの登録枠に対応する車番が上書きされた車番表１２１２の例を示す図である。利用者は、図１９に示す表示を見て、４つの選択肢の中から車番「１６５６」を選択する。管理装置１は、この選択を受付けて、図１８に示す車番表１２１２に登録された車番「１６５６」を抹消し、抹消したこの欄の内容を車番「９８６８」に変更する。
【０１１０】
この構成によれば、入力したパスワードが、登録可能な数の車両を既に登録済みのパスワードであるときに、利用者は、登録済みの車両の中から抹消する車両を選択することができる。
【０１１１】
＜変形例１３＞
上述した車両登録ＤＢ１２１ｃを記憶する管理装置１は、パスワードが入力されたときに、そのパスワードの入力に応じて登録可能な数の車両が既に登録されていて、かつ、それら登録された車両の全てが駐車している場合、利用者の車両の登録をしなくてもよい。
【０１１２】
図２１は、全ての登録枠に対応する利用状態が利用中である車番表１２１２の例を示す図である。図２１に示す車番表１２１２において、５台分の登録枠の全てが利用中である。これら登録枠のいずれかを抹消すると、未だ駐車場に駐車している車両が車番表１２１２から抹消されることになるため、その車両の利用状態の把握が困難になる。そのため、管理装置１は、入力されたパスワードに対応付けられた車番表１２１２において、全ての登録枠に車番が登録済みであり、かつ、その全ての車番の車両が駐車場を利用中である場合に、新たな車番の登録を拒否する。この場合、管理装置１は、入力されたパスワードを誤ったパスワードとして判断してもよい。
【０１１３】
＜変形例１４＞
管理装置１は、登録する車番を変更できる回数を記憶してもよい。図２２は、パスワードに残りの変更回数が対応付けられた車両登録ＤＢ１２１ｄの例を示す図である。図２２に示す車両登録ＤＢ１２１ｄは、パスワードごとに１つの車番を登録するデータベースである。車両登録ＤＢ１２１ｄは、一度登録された車番を抹消して新たな車番で上書きする回数、すなわち、車番を変更する回数を制限するために、残りの変更回数（残り変更回数）をパスワードごとに記憶している。
【０１１４】
例えば、図２２（ａ）に示す車両登録ＤＢ１２１ｄではパスワード「１１１１」に対応付けて車番「１６５６」が登録されている。そして、このパスワード「１１１１」には、残り変更回数として「５」が対応付けられている。
【０１１５】
新たな車番「９８６８」が認識され、これを登録するためにパスワード「１１１１」が入力されると、管理装置１は、パスワード「１１１１」に対応付けて登録された車番「１６５６」を抹消して、この欄の内容を車番「９８６８」に変更する。これに伴って管理装置１は、パスワード「１１１１」に対応する残り変更回数を「５」から「４」に減らす。この結果、図２２（ａ）に示す車両登録ＤＢ１２１ｄは図２２（ｂ）に示す内容に変化する。
【０１１６】
管理装置１は、パスワードに対応付けられた残り変更回数が「０」である場合、このパスワードの入力に応じて登録済みの車番を、新たな車番に変更することを拒否する。例えば、図２２（ａ）に示す車両登録ＤＢ１２１ｄの場合、パスワード「４４４４」に対応する残り変更回数は「０」であるため、この数字をこれ以上減じることはできない。したがって、管理装置１は、新たな車番が認識され、パスワード「４４４４」が入力されたときに、このパスワードを誤ったパスワードと判断し、車両の入場を拒否する。
【０１１７】
この構成によれば、１つのパスワードが無制限に使い回されることが防止される。
【０１１８】
＜変形例１５＞
１つの契約に複数のパスワードが対応付けられる場合、それらパスワードの入力に応じて登録可能な車両の数は契約に対して定められてもよい。
【０１１９】
図２３は、契約ごとに登録可能な数の登録枠が定められた車両登録ＤＢ１２１ｅの例を示す図である。図２３に示す車両登録ＤＢ１２１ｅは、契約リスト１２１０と、パスワードリスト１２１１ｅと、車番表１２１２ｅと、を有する。
【０１２０】
契約リスト１２１０は、契約をそれぞれ識別する識別情報である契約ＩＤを列挙したリストである。駐車場の管理者と利用者との間で取り交わされる契約には、それぞれ契約ＩＤが割り振られる。この契約ＩＤごとに、パスワードリスト１２１１ｅと、車番表１２１２ｅと、が生成される。
【０１２１】
パスワードリスト１２１１ｅは、契約リスト１２１０に記述されている、いずれか１つの契約ＩＤに対応付けられたパスワードのリストであり、その契約ＩＤで識別される契約によって発行されたパスワードを列挙する。
【０１２２】
車番表１２１２ｅは、契約リスト１２１０に記述されている、いずれか１つの契約ＩＤに対応付けられた表であり、その契約ＩＤで識別される契約によって登録可能な台数分の登録枠が設けられている。
【０１２３】
つまり、この車両登録ＤＢ１２１ｅは、契約ごとに１以上のパスワードと、１以上の登録枠と、を対応付けて記憶する。そのため、１つの契約で発行されたいずれのパスワードを入力しても、登録可能な車両の総数は、契約に対して定められた数になる。
【０１２４】
なお、図２３に示すように、車番表１２１２ｅには、登録枠に対応付けて、登録の際に入力したパスワードが記憶されてもよい。車番表１２１２ｅに設けられたパスワードの欄に記入されるパスワードは、重複してもよいし、重複が禁じられてもよい。
【０１２５】
＜変形例１６＞
管理装置１の制御部１１によって実行されるプログラムは、磁気テープや磁気ディスク等の磁気記録媒体、光ディスク等の光記録媒体、光磁気記録媒体、半導体メモリ等の、コンピュータ装置が読み取り可能な記録媒体に記憶された状態で提供し得る。また、このプログラムを、インターネット等の通信回線経由でダウンロードさせることも可能である。なお、上述した制御部１１によって例示した制御手段としてはＣＰＵ以外にも種々の装置が適用される場合があり、例えば、専用のプロセッサ等が用いられる。
【符号の説明】
【０１２６】
１、１ａ…管理装置、１１…制御部、１１１…受付部、１１２…取得部、１１３…認識部、１１４…認証部、１１５…登録部、１１６…通知部、１２…記憶部、１２１、１２１ａ、１２１ｂ、１２１ｃ、１２１ｄ、１２１ｅ…車両登録ＤＢ、１２１０…契約リスト、１２１１、１２１１ｅ…パスワードリスト、１２１２、１２１２ｅ…車番表、１３…接続部、１４、１４ａ…操作部、１４１…選別機、１５、１５ａ…表示部、２、２ａ…撮影装置、３…入口ゲート機、３１…入口バー、４…出口ゲート機、４１…出口バー、８…サーバ装置、９…駐車場管理システム。
【図１】
2020087246.tif 000003
【図２】
2020087246.tif 000004
【図３】
2020087246.tif 000005
【図４】
2020087246.tif 000006
【図５】
2020087246.tif 000007
【図６】
2020087246.tif 000008
【図７】
2020087246.tif 000009
【図８】
2020087246.tif 000010
【図９】
2020087246.tif 000011
【図１０】
2020087246.tif 000012
【図１１】
2020087246.tif 000013
【図１２】
2020087246.tif 000014
【図１３】
2020087246.tif 000015
【図１４】
2020087246.tif 000016
【図１５】
2020087246.tif 000017
【図１６】
2020087246.tif 000018
【図１７】
2020087246.tif 000019
【図１８】
2020087246.tif 000020
【図１９】
2020087246.tif 000021
【図２０】
2020087246.tif 000022
【図２１】
2020087246.tif 000023
【図２２】
2020087246.tif 000024
【図２３】
2020087246.tif 000025